【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
第１無線通信部と、前記第１無線通信部よりも高速通信を実行可能な第２無線通信部を備える情報処理装置であって、
所定の画面を介して第１選択項目が選択された場合、印刷対象データとして第１印刷対象データを選択可能な第１選択画面を表示し、かつ、用紙属性として第１用紙属性を決定し、前記所定の画面を介して第２選択項目が選択された場合、前記印刷対象データとして第２印刷対象データを選択可能な第２選択画面を表示し、かつ、前記用紙属性として第２用紙属性を決定する制御手段と、
前記第１無線通信部を用いて印刷装置と通信することで、前記第２無線通信部に前記印刷装置との無線接続を確立させる通信制御手段と、
前記第１選択画面または前記第２選択画面を用いて選択された印刷対象データに基づく印刷データを前記確立された無線接続を介して前記印刷装置に送信する送信手段を有し、
前記決定された用紙属性が前記印刷装置に設定された用紙情報に対応しない場合、前記印刷装置に設定された用紙情報が表示領域に表示される
ことを特徴とする情報処理装置。
【請求項２】
前記第１無線通信部は、Ｎｅａｒ  Ｆｉｅｌｄ  Ｃｏｍｍｕｎｉｃａｔｉｏｎ（ＮＦＣ）にて通信することを特徴とする請求項１に記載の情報処理装置。
【請求項３】
前記第１無線通信部は、Ｂｌｕｅｔｏｏｔｈにて通信することを特徴とする請求項１に記載の情報処理装置。
【請求項４】
前記第１選択項目は写真を印刷するための選択肢であり、かつ、前記第２選択項目は文書を印刷するための選択肢であることを特徴とする請求項１乃至３のいずれか１項に記載の情報処理装置。
【請求項５】
前記印刷装置の給紙部に対して用紙がセットされた場合に前記印刷装置に表示される設定画面を用いて前記印刷装置の用紙情報が設定されることを特徴とする請求項１乃至４のいずれか１項に記載の情報処理装置。
【請求項６】
前記第１無線通信部を用いて、前記印刷装置から通信に関わる情報を取得する取得手段を更に有し、
前記通信制御手段は、前記通信に関わる情報が取得されることに従って前記第２無線通信部に前記印刷装置との無線通信を確立させることを特徴とする請求項１乃至５のいずれか１項に記載の情報処理装置。
【請求項７】
前記決定された用紙属性が前記印刷装置において設定された用紙情報に対応しない場合、前記印刷装置に設定された用紙情報を用いて印刷するためのオプションが前記表示領域に表示されることを特徴とする請求項１乃至６のいずれか１項に記載の情報処理装置。
【請求項８】
前記オプションが選択された場合、前記印刷対象データと前記用紙情報に基づいて前記印刷データを生成する生成手段をさらに備えることを特徴とする請求項７に記載の情報処理装置。
【請求項９】
前記用紙属性と前記用紙情報には少なくとも用紙種類が含まれることを特徴とする請求項１乃至８のいずれか１項に記載の情報処理装置。
【請求項１０】
前記用紙属性と前記用紙情報には少なくとも用紙サイズの情報が含まれることを特徴とする請求項１乃至８のいずれか１項に記載の情報処理装置。
【請求項１１】
前記決定された用紙属性が前記印刷装置に設定された用紙情報に対応しない場合、前記印刷装置に設定された用紙情報が前記情報処理装置の前記表示領域に表示されることを特徴とする請求項１乃至１０のいずれか１項に記載の情報処理装置。
【請求項１２】
第１無線通信部と、前記第１無線通信部よりも高速通信を実行可能な第２無線通信部を制御可能なコンピュータを、
所定の画面を介して第１選択項目が選択された場合、印刷対象データとして第１印刷対象データを選択可能な第１選択画面を表示し、かつ、用紙属性として第１用紙属性を決定し、前記所定の画面を介して第２選択項目が選択された場合、前記印刷対象データとして第２印刷対象データを選択可能な第２選択画面を表示し、かつ、前記用紙属性として第２用紙属性を決定する制御手段と、
前記第１無線通信部を用いて印刷装置と通信することで、前記第２無線通信部に前記印刷装置との無線接続を確立させる通信制御手段と、
前記第１選択画面または前記第２選択画面を用いて選択された印刷対象データに基づく印刷データを前記確立された無線接続を介して前記印刷装置に送信する送信手段として機能させ、
前記決定された用紙属性が前記印刷装置に設定された用紙情報に対応しない場合、前記印刷装置に設定された用紙情報が表示領域に表示されることを特徴とする前記コンピュータが読み取り可能なプログラム。 
【請求項１３】
前記第１無線通信部は、Ｎｅａｒ  Ｆｉｅｌｄ  Ｃｏｍｍｕｎｉｃａｔｉｏｎ（ＮＦＣ）にて通信することを特徴とする請求項１２に記載のプログラム。
【請求項１４】
前記第１無線通信部は、Ｂｌｕｅｔｏｏｔｈにて通信することを特徴とする請求項１２に記載のプログラム。
【請求項１５】
前記第１選択項目は写真を印刷するための選択肢であり、かつ、前記第２選択項目は文書を印刷するための選択肢であることを特徴とする請求項１２乃至１４のいずれか１項に記載のプログラム。
【請求項１６】
前記印刷装置の給紙部に対して用紙がセットされた場合に前記印刷装置に表示される設定画面を用いて前記印刷装置の用紙情報が設定されることを特徴とする請求項１２乃至１５のいずれか１項に記載のプログラム。
【請求項１７】
前記コンピュータを、前記第１無線通信部を用いて、前記印刷装置から通信に関わる情報を取得する取得手段として更に機能させ、
前記通信制御手段は、前記通信に関わる情報が取得されることに従って前記第２無線通信部に前記印刷装置との無線通信を確立させることを特徴とする請求項１２乃至１６のいずれか１項に記載のプログラム。
【請求項１８】
前記決定された用紙属性が前記印刷装置において設定された用紙情報に対応しない場合、前記印刷装置に設定された用紙情報を用いて印刷するためのオプションが前記表示領域に表示されることを特徴とする請求項１２乃至１７のいずれか１項に記載のプログラム。
【請求項１９】
前記コンピュータを、前記オプションが選択された場合、印刷対象データと前記用紙情報に基づいて前記印刷データを生成する生成手段として更に機能させることを特徴とする請求項１８に記載のプログラム。
【請求項２０】
前記用紙属性と前記用紙情報には少なくとも用紙種類が含まれることを特徴とする請求項１２乃至１９のいずれか１項に記載のプログラム。
【請求項２１】
前記用紙属性と前記用紙情報には少なくとも用紙サイズの情報が含まれることを特徴とする請求項１２乃至１９のいずれか１項に記載のプログラム。
【請求項２２】
前記決定された用紙属性が前記印刷装置に設定された用紙情報に対応しない場合、前記印刷装置に設定された用紙情報が前記コンピュータの前記表示領域に表示されることを特徴とする請求項１２乃至２１のいずれか１項に記載のプログラム。
【請求項２３】
第１無線通信部と、前記第１無線通信部よりも高速通信を実行可能な第２無線通信部を制御可能な情報処理装置において実行される制御方法であって、
所定の画面を介して第１選択項目が選択された場合、印刷対象データとして第１印刷対象データを選択可能な第１選択画面を表示し、かつ、用紙属性として第１用紙属性を決定し、前記所定の画面を介して第２選択項目が選択された場合、前記印刷対象データとして第２印刷対象データを選択可能な第２選択画面を表示し、かつ、前記用紙属性として第２用紙属性を決定する制御ステップと、
前記第１無線通信部を用いて印刷装置と通信することで、前記第２無線通信部に前記印刷装置との無線接続を確立する確立ステップと、
前記第１選択画面または前記第２選択画面を用いて選択された印刷対象データに基づく印刷データを前記確立された無線接続を介して前記印刷装置に送信するステップを有し、
前記決定された用紙属性が前記印刷装置に設定された用紙情報に対応しない場合、前記印刷装置に設定された用紙情報が表示領域に表示されることを特徴とする制御方法。
【請求項２４】
前記第１無線通信部は、Ｎｅａｒ  Ｆｉｅｌｄ  Ｃｏｍｍｕｎｉｃａｔｉｏｎ（ＮＦＣ）にて通信することを特徴とする請求項２３に記載の制御方法。
【請求項２５】
前記第１無線通信部は、Ｂｌｕｅｔｏｏｔｈにて通信することを特徴とする請求項２３に記載の制御方法。
【請求項２６】
前記第１選択項目は写真を印刷するための選択肢であり、かつ、前記第２選択項目は文書を印刷するための選択肢であることを特徴とする請求項２３乃至２５のいずれか１項に記載の制御方法。
【請求項２７】
前記印刷装置の給紙部に対して用紙がセットされた場合に前記印刷装置に表示される設定画面を用いて前記給紙部に対する用紙情報が設定されることを特徴とする請求項２３乃至２６のいずれか１項に記載の制御方法。
【請求項２８】
前記決定された用紙属性が前記印刷装置において設定された用紙情報に対応しない場合、前記印刷装置に設定された用紙情報を用いて印刷するためのオプションが前記表示領域に表示されることを特徴とする請求項２３乃至２７のいずれか１項に記載の制御方法。
【請求項２９】
前記オプションが選択された場合、前記印刷対象データと前記用紙情報に基づいて前記印刷データを生成する生成ステップを更に有することを特徴とする請求項２８に記載の制御方法。
【請求項３０】
前記第１無線通信部を用いて、さらに前記印刷装置から通信に関わる情報を取得する取得ステップを更に有し、
前記通信に関わる情報が取得されることに従って前記第２無線通信部に前記印刷装置との無線通信が確立されることを特徴とする請求項２３乃至２９のいずれか１項に記載の制御方法。
【請求項３１】
前記決定された用紙属性が前記印刷装置に設定された用紙情報に対応しない場合、前記印刷装置に設定された用紙情報が前記情報処理装置の前記表示領域に表示されることを特徴とする請求項２３乃至３０のいずれか１項に記載の制御方法。
【請求項３２】
第１無線通信部と、前記第１無線通信部よりも高速通信を実行可能な第２無線通信部を制御可能なコンピュータを、
所定の画面を介して第１選択項目が選択された場合、印刷対象データとして第１印刷対象データを選択可能な第１選択画面を表示し、かつ、用紙属性として第１用紙属性を決定し、前記所定の画面を介して第２選択項目が選択された場合、前記印刷対象データとして第２印刷対象データを選択可能な第２選択画面を表示し、かつ、前記用紙属性として第２用紙属性を決定する制御手段と、
前記第１無線通信部を用いて印刷装置と通信することで、前記第２無線通信部に前記印刷装置との無線接続を確立させる通信制御手段と、
前記第１選択画面または前記第２選択画面を用いて選択された印刷対象データに基づく印刷データを前記確立された無線接続を介して前記印刷装置に送信する送信手段と、
前記決定された用紙属性が前記印刷装置に設定された用紙情報に対応しない場合、用紙に関わる情報を含むメッセージを表示する表示制御手段として機能させるための前記コンピュータが読み取り可能なプログラム。
【請求項３３】
前記第１無線通信部は、Ｎｅａｒ  Ｆｉｅｌｄ  Ｃｏｍｍｕｎｉｃａｔｉｏｎ（ＮＦＣ）にて通信することを特徴とする請求項３２に記載のプログラム。
【請求項３４】
前記第１無線通信部は、Ｂｌｕｅｔｏｏｔｈにて通信することを特徴とする請求項３２に記載のプログラム。
【請求項３５】
前記第１選択項目は写真を印刷するための選択肢であり、かつ、前記第２選択項目は文書を印刷するための選択肢であることを特徴とする請求項３２乃至３４のいずれか１項に記載のプログラム。
【請求項３６】
前記決定された用紙属性が前記印刷装置において設定された用紙情報に対応しない場合、前記表示制御手段は、前記印刷装置に設定された用紙情報を用いて印刷するためのオプションを表示させ、
前記オプションが選択された場合、前記コンピュータを、前記印刷対象データと前記用紙情報に基づいて前記印刷データを生成する生成手段として更に機能させることを特徴とする請求項３２乃至３５のいずれか１項に記載のプログラム。
【請求項３７】
前記用紙属性と前記用紙情報には、用紙タイプおよび用紙サイズの少なくとも１つが含まれることを特徴とする請求項３２乃至３５のいずれか１項に記載のプログラム。
【請求項３８】
第１無線通信部と、前記第１無線通信部よりも高速通信を実行可能な第２無線通信部を制御可能な情報処理装置において実行される制御方法であって、
所定の画面を介して第１選択項目が選択された場合、印刷対象データとして第１印刷対象データを選択可能な第１選択画面を表示し、かつ、用紙属性として第１用紙属性を決定し、前記所定の画面を介して第２選択項目が選択された場合、前記印刷対象データとして第２印刷対象データを選択可能な第２選択画面を表示し、かつ、前記用紙属性として第２用紙属性を決定する制御ステップと、
前記第１無線通信部を用いて印刷装置と通信することで、前記第２無線通信部に前記印刷装置との無線接続を確立させる通信制御ステップと、
前記第１選択画面または前記第２選択画面を用いて選択された印刷対象データに基づく印刷データを前記確立された無線接続を介して前記印刷装置に送信する送信ステップと、
前記決定された用紙属性が前記印刷装置に設定された用紙情報に対応しない場合、用紙に関わる情報を含むメッセージを表示する表示制御ステップを含むことを特徴とする制御方法。
【請求項３９】
前記第１無線通信部は、Ｎｅａｒ  Ｆｉｅｌｄ  Ｃｏｍｍｕｎｉｃａｔｉｏｎ（ＮＦＣ）にて通信することを特徴とする請求項３８に記載の制御方法。
【請求項４０】
前記第１無線通信部は、Ｂｌｕｅｔｏｏｔｈにて通信することを特徴とする請求項３８に記載の制御方法。
【請求項４１】
前記第１選択項目は写真を印刷するための選択肢であり、かつ、前記第２選択項目は文書を印刷するための選択肢であることを特徴とする請求項３８乃至４０のいずれか１項に記載の制御方法。
【請求項４２】
前記決定された用紙属性が前記印刷装置において設定された用紙情報に対応しない場合、前記表示制御ステップは、前記印刷装置に設定された用紙情報を用いて印刷するためのオプションを表示させ、
前記オプションが選択された場合、前記情報処理装置を、前記印刷対象データと前記用紙情報に基づいて前記印刷データを生成する生成ステップとして更に機能させることを特徴とする請求項３８乃至４１のいずれか１項に記載の制御方法。
【請求項４３】
前記用紙属性と前記用紙情報には、用紙タイプおよび用紙サイズの少なくとも１つが含まれることを特徴とする請求項３８乃至４２のいずれか１項に記載の制御方法。
【手続補正２】
【補正対象書類名】明細書
【補正対象項目名】発明の名称
【補正方法】変更
【補正の内容】
【発明の名称】情報処理装置及び制御方法及びプログラム
【手続補正３】
【補正対象書類名】明細書
【補正対象項目名】０００１
【補正方法】変更
【補正の内容】
【０００１】
本発明は、情報処理装置及び制御方法及びプログラムに関するものである。
【手続補正４】
【補正対象書類名】明細書
【補正対象項目名】０００９
【補正方法】変更
【補正の内容】
【０００９】
この課題を解決するため、例えば本発明の情報処理装置は以下の構成を備える。すなわち、
第１無線通信部と、前記第１無線通信部よりも高速通信を実行可能な第２無線通信部を備える情報処理装置であって、
所定の画面を介して第１選択項目が選択された場合、印刷対象データとして第１印刷対象データを選択可能な第１選択画面を表示し、かつ、用紙属性として第１用紙属性を決定し、前記所定の画面を介して第２選択項目が選択された場合、前記印刷対象データとして第２印刷対象データを選択可能な第２選択画面を表示し、かつ、前記用紙属性として第２用紙属性を決定する制御手段と、
前記第１無線通信部を用いて印刷装置と通信することで、前記第２無線通信部に前記印刷装置との無線接続を確立させる通信制御手段と、
前記第１選択画面または前記第２選択画面を用いて選択された印刷対象データに基づく印刷データを前記確立された無線接続を介して前記印刷装置に送信する送信手段を有し、
前記決定された用紙属性が前記印刷装置に設定された用紙情報に対応しない場合、前記印刷装置に設定された用紙情報が表示領域に表示されることを特徴とする。